【事件の表示】
　特願２００３−　３６１２１号「食器洗浄機」拒絶査定不服審判事件〔平成１６年　９月　２日出願公開、特開２００４−２４２９０１号〕について、次のとおり審決する。
【結　論】
　本件審判の請求は、成り立たない。
【理　由】
１．手続の経緯
　本願は、平成１５年２月１４日の出願であって、平成２０年１０月６日付けで拒絶査定がなされ（同年１０月１４日発送）、これに対し、同年１１月１３日に拒絶査定不服審判請求がなされ、同年１２月１１日付けで手続補正がなされた。そして、当審において平成２２年９月３日付けの補正の却下の決定により平成２０年１２月１１日付けの手続補正は却下され、同日付けで拒絶の理由が通知され（同年９月７日発送）、これに対して、同年１１月８日付けで意見書が提出されるとともに手続補正がなされたものである。
　
２．本願発明
　本願の特許請求の範囲の請求項２に係る発明は、平成２２年１１月８日付けの手続補正により補正された特許請求の範囲の請求項２に記載された次の事項により特定されるものである（以下「本願発明」という。）。
　
　洗浄槽内に食器類を収納した食器かごを、洗浄槽の前面から出し入れ可能に設けたものにおいて、
　前記食器かごは、上下２段に独立して配設され、そのうちの下段の食器かごの一部には背の高い食器類の収納スペースを有し、一方上段の食器かごは、かご本体と、該かご本体に形成された開放口に着脱可能で、取付高さ位置を変更可能に組み込まれた食器支持部材とから構成し、
　前記食器支持部材は、前記下段の食器かごの背の高い食器類の収納スペースと対応する上方位置にあって、前記かご本体の開放口の周囲の枠部で支持可能とするとともに、取付高さの高い位置設定は、開放口周囲の前後側の枠部に取付支持し、取付高さの低い位置設定は、前記前後側より低い位置の左右側の枠部に取付支持する構成としたことを特徴とする食器洗浄機。
　
３．引用例
（１）引用例１
　当審における平成２２年９月３日付けの拒絶の理由に引用した実願昭４６−５５９６９号（実開昭４８−１４８６８号）のマイクロフィルム（以下「引用例１」という。）には、図面とともに、次の事項が記載されている。
　
ア．「上下二段の食器籠を有する食器洗い機において、上段食器籠を複数段の方形彎曲線よりなる方形枠、この方形枠を二分する複数段の梁をもつ分割枠、並びにこの分割枠および上記方形枠の一辺に両端を固定した多数の彎曲線よりなる籠本体と、二本の線に多数の彎曲線の両端を固定すると共に上記両線に複数の係合爪を取付けてなる分割籠体とにより構成したことを特徴とする食器洗い機。」（実用新案登録請求の範囲）
　
イ．「本考案は食器洗い機の改良に関するもので、その目的とするところは上下二段の食器籠をもつ食器洗い機において上段の食器籠の一部の高さを容易に変更し得るようにした食器洗い機を提供するにある。」（明細書１頁１３〜１７行）
　
ウ．「(1)は上部にスイツチなどを内蔵するパネル部(2)を設けた洗槽で、この洗槽(1)の両側壁(1′)(1″)には上段案内レール(3)(3′)と下段案内レール(4)(4′)とを取付ける。(5)は例えばステンレススチール線、プラスチツクの被覆を施こした鉄線などよりなる上段食器籠で、この上段食器籠(5)は第３図および第４図に示すように二段の方形彎曲線(6)(6′)をその四隅において連結杆(7)で連結してなる方形枠(8)と、この方形枠を二分する分割枠(9)と、この分割枠(9)および方形枠(8)の右辺(10)に両端を固定した互に平行する多数の波形彎曲線(11)と、方形枠(8)の両辺(10)(12)に取付けた四個のローラー(13)とよりなる籠本体(14)と、二本の互に平行する線(15)(16)に互に平行する多数の波形彎曲線(17)の両端を固定し、さらに両線(15)(16)の両端に四個の係合爪(18)を取付けてなる分割籠体(19)とにより構成される。(20)は例えばステンレススチール線、プラスチツクの被覆を施こした鉄線などよりなる下段食器籠で、この下段食器籠(20)にもその両辺に四個のローラ(21)(21′)を取付ける。」（明細書１頁１９行〜２頁１８行）
　
エ．「この図に示す本考案の実施例は第４図および第１図に示すように上段食器籠(5)の上方方形彎曲線(6)と分割枠(9)の上方梁(9′)とに分割籠体(19)の各係合爪(18)を引きかけて各波形彎曲線(11)(17)上に例えば椀類のような比較的径の小なる食器(a)をのせ、この上段食器籠(5)をローラー(11)(11′)および上段案内レール(3)(3′)を案内として洗槽(1)内に挿入し、次に下段食器籠(20)の上に例えば皿類のような比較的径の大なる食器(b)をのせて、この下段食器籠をローラー(21)(21′)および下段案内レール(4)(4′)を案内として洗槽(1)内に挿入して、これら食器(a)(b)の洗浄を行なうものである。この状態は第１図に示す通りである。」（明細書２頁１９行〜３頁１０行）
　
オ．「次に上段食器籠(5)にも皿類のような径の大なる食器(b)をのせたい場合は第２図に示すようにこの上段食器籠(5)の下方方形彎曲線(6′)と分割枠(9)の下方梁(9″)とに分割籠体(19)の各係合爪(18)を引きかけて波形彎曲線(17)上に皿類のような比較的径の大なる食器(b)を、また波形彎曲線(11)上には椀類のような比較的径の小なる食器(a)をのせ、この上段食器籠(5)をローラー(11)(11′)および上段案内レール(3)(3′)を案内として洗槽(1)内に挿入し、次に下段食器籠(20)の上に皿類のような比較的径の大なる食器(b)をのせて、この下段食器籠(20)をローラー(21)(21′)および下段案内レール(4)(4′)を案内として洗槽(1)内に挿入してこれら食器(a)(b)を洗浄するものである。この状態は第２図に示す通りである。」（明細書３頁１１行〜４頁４行）
　
カ．「従来のこの種食器洗い機は上段食器籠に椀類のような比較的径の小なる食器を入れ下段食器籠には皿類のような比較的径の大なる食器を入れるように設計されているが、近来の食生活では椀類より皿類の方を多く使用するようになつてきたので上段食器籠にも皿類の一部を入れたい場合がある。このような場合上記従来の食器洗い機では上段食器籠の高さが低いのでこの上段食器籠には皿類のような径の大なる食器を入れることができず甚だ不便であつた。
　然るに本考案においては上記のように上段食器籠の一部を分割して、この上段食器籠に椀類のような比較的径の小なる食器をのせる場合は分割籠体を籠本体の方形枠に高い位置に引きかけ、またこの上段食器籠の一部に皿類のような比較的径の大なる食器をのせたい場合は上記分割籠体を籠本体の方形枠に低い位置に引きかけるようにしたので上記従来のこの種食器洗い機のような欠点を有効に除去することができる。
　本考案食器洗い機は下記のような種々の効果をもつものである。
１．上記のように上段食器籠で洗える食器の種類が増え実用上頗る便利である。
２．上段食器籠は籠本体と分割籠体との二部分となるがコスト的にはこれらを一体にしたものと殆んど変らず、また各部分はスポツト熔接で組立てられるので分割することによりこのスポツト熔接作業がやり易くなる利点がある。
　なお本考案はその上段食器籠の方形枠を形成する方形彎曲線および分割枠の梁を図面の実施例のように二段にすることなく三段以上の数段として分割籠体の高さを三段以上数段に変更せしめることも可能である。」（明細書４頁５行〜５頁１７行）
　
キ．第３、４図には、籠本体(14)において、分割枠(9)により二分された方形枠(8)の左辺(12)側に、分割籠体(19)を着脱可能に引きかけるために形成された開放口が、図示されている。
　
　上記記載事項及び図面の記載を総合し、本願発明の記載ぶりに則って整理すると、引用例１には、次の発明（以下「引用発明」という。）が記載されている。
　
「洗槽(1)内に食器類を収納した食器籠(5)(20)を、洗槽(1)の前面から出し入れ可能に設けたものにおいて、
　前記食器籠(5)(20)は、上下２段に独立して配設され、そのうちの下段食器籠(20)には比較的径の大なる食器(b)をのせ、一方上段食器籠(5)は、籠本体(14)と、該籠本体(14)に形成された開放口に着脱可能で、引きかけ高さ位置を変更可能に引きかける分割籠体(19)とから構成し、
　前記分割籠体(19)は、前記籠本体(14)の開放口の周囲の上段食器籠(5)の上方方形彎曲線(6)と分割枠(9)の上方梁(9′)、又は、上段食器籠(5)の下方方形彎曲線(6′)と分割枠(9)の下方梁(9″)で引きかけ可能とするとともに、引きかけ高さの高い位置設定は、開放口周囲の左右側の上段食器籠(5)の上方方形彎曲線(6)と分割枠(9)の上方梁(9′)とに引きかけ、引きかけ高さの低い位置設定は、開放口周囲の左右側の上段食器籠(5)の下方方形彎曲線(6′)と分割枠(9)の下方梁(9″)とに引きかける構成とした食器洗い機。」
　
（２）引用例２
　当審における平成２２年９月３日付けの拒絶の理由に引用した特開２０００−１５７４８１号公報（以下「引用例２」という。）には、図面とともに、次の事項が記載されている。
ア．「そして、上段の食器かご２１は、図１０に示すように、２本の可動レール部材４２と多数の金属線材とにより左右段違いに形成しており、その高い側である右半部２１ａの上方に小物収納部４３を設けている。又、小物収納部４３は、プラスチック又は多数の金属線材により、食器かご２１の右半部２１ａ相当の大きさの矩形の偏平なかご状に形成したもので、底部の前後両側にそれぞれ二股状の取付部４５を有し、この取付部４５を、食器かご２１の右半部２１ａを構成した前後各１本のレール相当の金属線材４６にそれぞれスライド可能に嵌着して、食器かご２１の高い側から低い側へ変位可能に設けている。」（段落【００２８】）
　
イ．「更に、小物収納部４３については、…（中略）…しかも、この場合、小物収納部４３は小物の食器５０を横にした状態で収納すべく偏平に構成しており、その偏平構成により、小物収納部４３を設けている上段の食器かご２１の右半部２１ａの下方（下段の食器かご２２との間）に大きな（高い）収納スペースを生じさせることができるので、下段の食器かご２２に、より大きな皿等を収納配置することができる。
　又、この場合、上段の食器かご２１は左右段違いに形成し、その高い側の上方に小物収納部４３を設けているので、その下方には、より大きな収納スペースを生じさせることができ、従って、下段の食器かご２２に、更に大きな皿等を収納配置することができる。
　加えて、小物収納部４３は、上段の食器かご２１の高い側から低い側へ変位可能に設けており、これによって、上段の食器かご２１をその低い側へ変位させることにより、下段の食器かご２２の上方に更に大きな収納スペースを生じさせることができ、従って、下段の食器かご２２に、一段と大きな皿等を収納配置することができる。」（段落【００４０】〜【００４２】）
　
　上記記載事項及び図面（特に、図３、９、１０参照。）の記載を総合すると、引用例２には、次の事項が記載されている。
「上段の食器かご２１は左右段違いに形成し、その高い側の上方に偏平な小物収納部４３を設けているので、その下方には、より大きな収納スペースを生じさせることができ、下段の食器かご２２に、更に大きな皿等を収納配置することができること。」
　
（３）引用例３
　当審における平成２２年９月３日付けの拒絶の理由に引用した特開昭６０−１６８４３１号公報（以下「引用例３」という。）には、図面とともに、次の事項が記載されている。
ア．「複数の線材から構成される箱状の外枠の底面の一部を含む部分は、着脱自在にしてなる食器洗浄機のかご。」（特許請求の範囲）
　
イ．「発明の構成　本発明の食器洗浄機は、複数の線材から構成される箱状の外枠を有し、この外枠の底面の一部を含む部分は、着脱自在になし、この部分を上下あるいは左右に向きを変えて着け直すことにより、底面の位置が上下するようにしたものである。」(１頁右下欄１４〜１９行)
　
ウ．「第２図は本発明に基づく食器洗浄機のかごの一実施例を示すものである。１０はかご本体、１１は可動部分で、かご全体の側面の一部と底面の一部とを構成している。可動部分１１を、かご本体１０に取り付けるには、かご本体１０と可動部分１１とを同時にくわえ込む保持具１２および可動部分１１の端部１３を、かご本体１０に設けたフック部１４に引っ掛けることにより行なっている。
　第３図は保持具１２がかご本体１０と可動部分１１の両方をくわえ込んでいるところを示したものである。
　第４図、第５図は可動部１１の取りつけ方によるかご全体の形状の差異を示すものである。
　第６図、第７図はこの食器洗浄機のかごを上かご１５として用いた場合の、収容し得る最大の食器の変化を示すもので、１６は下かご、１７は洗浄槽である。上かご１５を第４図のように組み立てたときは、第６図のように下かご１６には従来と同等の大きさの食器１８が限度であるが、上かご１５を第５図のように組み立てたときは、上かご１５の可動部１１の底は高くなって、下かご１６には特に大きな皿１９も収容することができる。
　発明の効果
　上記実施例からあきらかなように、本発明の食器洗浄機のかごは、本体と可動部分とに分割して構成し、可動部分の本体への取り付け方を変えるだけで、可動部分の底の位置を上下させて、特にこれを上かごに採用することにより、下かごに収容できる食器の最大径は、容易に大きくすることができるものである。」（２頁左上欄３行〜右上欄１２行）
　
エ．図面によれば、かご本体１０には、可動部分１１をかご本体１０に取り付ける部分に開放口が形成され、該開放口の周囲に可動部分１１が取り付けられることが図示されている。
　
　上記記載事項及び図面の記載を総合すると、引用例３には、次の事項が記載されている。
「上かご１５において、かご本体１０の開放口周囲に着脱自在な可動部分１１の底の高さの位置を上下に変更可能とし、上かご１５の可動部分１１の底を高くしたとき、その下方の下かご１６に特に大きな皿１９を収容できるようにすること。」
　
（４）引用例４
　当審における平成２２年９月３日付けの拒絶の理由に引用した実公昭５１−５１５８２号公報（以下「引用例４」という。）には、図面とともに、次の事項が記載されている。
ア．「本考案は食器洗浄機の食器かごの改良に関するもので、食器の種類、とくに大きさに応じて食器かごの載置高さを二段に調節できる改良された構造を提案するものである。
　一般的な食器洗浄機においては洗浄槽内の容積を有効に活用するため２つの食器かごを上下二段に設け、…（中略）…本考案はこのような従来の欠点を除去するものであり、とくに上段の食器かごの取付高さを洗浄する食器の種類に応じ二段に調節可能に設けたものであり、…（中略）…５は前記中央部枠体３の前面にこれと一体に外方へ突出して設けられた上段ラツク用の掛止用突部、６，７は前記上部枠体４の左右側面にこれと一体に外方へ突出して設けられた下段ラツク用の掛止用突部、…（中略）…そしてこの食器かご本体１はこれと一対をなす載置用枠体９に載置して洗浄室に保持されるのである。前記載置用枠体９は線材で方形状に加工され後面辺には食器かごの上段ラツク時に食器かご本体の後部を支持する載置用突片１０を設けている。…（中略）…そして載置用枠体９に対して食器かご本体１を載置する場合、掛止用突部５と中央部枠体３の後辺を載置用枠体９の前後部に掛止すると、Ａ矢視図である第２図の状態となつて上段ラツクとなり、また左右の掛止用突部６，７を載置用枠体９の両側辺部に掛止めた場合、Ｂ矢視図である第３図の状態となつて下段ラツクとなる。」（１頁１欄２７行〜２欄３５行）
　
　上記記載事項及び図面の記載を総合すると、引用例４には、次の事項が記載されている。
「食器洗浄機において、食器の大きさに応じて載置高さを二段に調節可能とした上段の食器かご本体１を、高い位置である上段ラツクとして載置する場合、掛止用突部５と中央部枠体３の後辺を載置用枠体９の前後部に掛止し、低い位置である下段ラツクとして載置する場合、左右の掛止用突部６，７を載置用枠体９の両側辺部に掛止すること。」
　
４．対比・判断
　本願発明と引用発明を対比すると、引用発明の「洗槽(1)」は本願発明の「洗浄槽」に相当し、以下同様に、「上段食器籠(5)」は「上段の食器かご」に、「下段食器籠(20)」は「下段の食器かご」に、「籠本体(14)」は「かご本体」に、「分割籠体(19)」は「食器支持部材」に、「引きかけ」は「取付」、「支持」、「取付支持」及び「組み込まれ」に、「食器洗い機」は「食器洗浄機」に、それぞれ相当する。
　また、引用発明の「籠本体(14)の開放口の周囲の上段食器籠(5)の上方方形彎曲線(6)と分割枠(9)の上方梁(9′)、又は、上段食器籠(5)の下方方形彎曲線(6′)と分割枠(9)の下方梁(9″)」は本願発明の「かご本体の開放口の周囲の枠部」に相当する。
　そして、引用発明の「開放口周囲の左右側の上段食器籠(5)の上方方形彎曲線(6)と分割枠(9)の上方梁(9′)に引きかける構成」は「開放口周囲の上方の左右側の枠部に取付支持する構成」といえるので、本願発明の「開放口周囲の前後側の枠部に取付支持する構成」と、「開放口周囲の上方の枠部に取付支持する構成」である点で共通する。
　そうすると、引用発明の「開放口周囲の左右側の上段食器籠(5)の下方方形彎曲線(6′)と分割枠(9)の下方梁(9″)とに引きかける構成」は「前記周囲の上方の枠部より低い位置の左右側の枠部に取付支持する構成」といえるので、本願発明の「前記前後側より低い位置の左右側の枠部に取付支持する構成」に対応する。
　
　よって、両発明の一致点及び相違点は次のとおりである。
〔一致点〕
「洗浄槽内に食器類を収納した食器かごを、洗浄槽の前面から出し入れ可能に設けたものにおいて、
　前記食器かごは、上下２段に独立して配設され、そのうちの下段の食器かごには背の高い食器類の収納スペースを有し、一方上段の食器かごは、かご本体と、該かご本体に形成された開放口に着脱可能で、取付高さ位置を変更可能に組み込まれた食器支持部材とから構成し、
　前記食器支持部材は、前記かご本体の開放口の周囲の枠部で支持可能とするとともに、取付高さの高い位置設定は、開放口周囲の上方の枠部に取付支持し、取付高さの低い位置設定は、前記周囲の上方の枠部より低い位置の左右側の枠部に取付支持する構成とした食器洗浄機。」
　
〔相違点１〕
　食器支持部材が、本願発明では、下段の食器かごの一部に有する背の高い食器類の収納スペースと対応する上方位置にあるのに対し、引用発明では、下段の食器かごの背の高い食器類の収納スペースの位置は特定されていない点。
　
〔相違点２〕
　取付高さの高い位置設定が、本願発明では、開放口周囲の前後側の枠部に取付支持するのに対し、引用発明では、開放口周囲の上方の左右側の枠部に取付支持する点。
　
　そこで、これらの相違点について検討する。
・相違点１について
　上段の食器かごの底面の一部を高くすることで、その下方に背の高い食器類の収納スペースを設けることは、引用例２、３に記載されているように周知の事項である。
　なお、請求人は意見書において、引用例２、３には、「下方部分に大きな収納スペースを形成可能」であることが開示されているが「下段の食器かごに、一部に背の高い食器類の収納スペースを特定した構成」が開示されていない旨主張する。
　しかし、引用例２には、段違いの底面をなす上段の食器かごの底面の高い側の下方の下段の食器かごの大きな収納スペース部分に、大きい食器を支持するための第１の支持部３７ａを設けた点が記載されている（段落【００３１】、【００４４】及び図１、３、５〜７、９、１１〜１３を参照。）。また、引用例３には、上かごの可動部の底を高くしたとき、その下方に背の高い食器類を収納することできることが開示されている以上、下かごのその部分を背の高い食器類のスペースに特定することは自明のことである。
　したがって、請求人の主張は採用できない。
　
　加えて、引用例３には、上かごにおいて、かご本体の開放口周囲に着脱自在な可動部分の底の高さの位置を上下に変更可能とし、上かごの可動部分の底を高くしたとき、その下方の下かごには特に大きな皿を収容できるようにすることが記載されているから、これと同様に、上段の食器かご（上段食器籠(5)）の開放口の周囲に着脱可能な食器支持部材（分割籠体(19)）を上下に移動させ、結果的にその底の高さの位置を上下させる引用発明において、引用例３に記載された事項を適用して、引用発明の取付高さの高い位置設定のときの食器支持部材（分割籠体(19)）の底の高さを、開放口のない方の底よりも高い位置にして、食器支持部材（分割籠体(19)）の下方に背の高い食器類を収納できるスペースとするようにして相違点１に係る構成とすることは、当業者であれば容易になし得たことである。
　
・相違点２について
　前述のように、引用例４には、「食器洗浄機において、食器の大きさに応じて載置高さを二段に調節可能とした上段の食器かご本体１を、高い位置である上段ラツクとして載置する場合、掛止用突部５と中央部枠体３の後辺を載置用枠体９の前後部に掛止し、低い位置である下段ラツクとして載置する場合、左右の掛止用突部６，７を載置用枠体９の両側辺部に掛止すること。」が記載されており、いいかえれば、「食器洗浄機において、上段の食器かごの高さの上下の変更を、開放口周囲の枠部への食器かごの取付支持を前後側と左右側に切り換えることにより行うこと。」が記載されている。
　そして、引用例４に記載されたものは、食器かごの一部に設けられる開放口への取付支持ではないものの、食器洗浄機の上段の食器かごに係る開放口周囲の枠部への食器かご形状の部材の高さを変更するための取付支持という点で引用発明と同じ技術的事項であるから、引用例４に記載された事項を、引用発明の食器支持部材（分割籠体(19)）の取付支持手段に適用することは当業者が容易に想到し得たことである。
　したがって、食器支持部材（分割籠体(19)）を取付高さの高い位置と低い位置の両方とも左右側で取付支持する引用発明において、引用例４に記載された事項を適用し、取付高さの高い位置と低い位置を前後側と左右側に切り換えて取付支持するようにして上記相違点２に係る構成とすることは、当業者であれば容易になし得たことである。
　
　また、本願発明を全体としてみても、その作用効果は、引用発明及び引用例２〜４に記載された事項から当業者が予測できる範囲のものである。
　
　したがって、本願発明は、引用発明及び引用例２〜４に記載された事項に基づいて当業者が容易に発明をすることができたものである。
　 
５．むすび
　以上のとおり、本願発明は、引用発明及び引用例２〜４に記載された事項に基づいて当業者が容易に発明をすることができたものであり、特許法第２９条第２項の規定により特許を受けることができないものであるから、本願の他の請求項に係る発明について検討するまでもなく、本願は拒絶すべきものである。
　よって、結論のとおり審決する。